(57)【要約】【課題】  被災地とその支援エリアの間の通信を確保する通信制御装置、通信システム、及び通信制御方法を提供する。【解決手段】  通信制御装置は、互いに異なるエリア内の１以上の通信端末と回線接続された複数の通信装置間の通信を中継する１以上の中継装置を制御し、災害に関する災害情報を取得する取得部と、取得した災害情報から被災地の支援エリアを決定し、複数の通信装置の各々のエリアを示すエリア情報に基づき、複数の通信装置のうち、被災地及び支援エリア内の１以上の通信端末と回線接続された通信装置を特定する特定部と、特定された通信装置と接続された１以上の中継装置の通信回線のうち、特定された通信装置との間の通信回線に、１以上の通信端末の各々の通信データを収容するチャネルを、他の通信回線より多く割り当てる割り当て部とを有する。【選択図】図１
2016154310.tif 000002
【特許請求の範囲】
【請求項１】
互いに異なるエリア内の１以上の通信端末と回線接続された複数の通信装置間の通信を中継する１以上の中継装置を制御する通信制御装置において、
災害に関する災害情報を取得する取得部と、
前記取得部が取得した前記災害情報から被災地の支援エリアを決定し、前記複数の通信装置の各々の前記エリアを示すエリア情報に基づき、前記複数の通信装置のうち、前記被災地及び前記支援エリア内の前記１以上の通信端末と回線接続された通信装置を特定する特定部と、
前記特定部により特定された通信装置と接続された前記１以上の中継装置の通信回線のうち、前記特定された通信装置との間の通信回線に、前記１以上の通信端末の各々の通信データを収容するチャネルを、他の通信回線より多く割り当てる割り当て部とを有することを特徴とする通信制御装置。
【請求項２】
前記割り当て部は、さらに、前記特定された通信装置と接続された前記１以上の中継装置同士を結ぶ通信回線に、前記チャネルを他の通信回線より多く割り当てることを特徴とする請求項１に記載の通信制御装置。
【請求項３】
前記割り当て部は、前記他の通信回線に割り当てられた前記チャネルを減少させ、該減少分のチャネルを残りの通信回線に分配することを特徴とする請求項１または２に記載の通信制御装置。
【請求項４】
前記特定部は、前記被災地から所定の距離内の地域を前記支援エリアとして決定することを特徴とする請求項１乃至３の何れかに記載の通信制御装置。
【請求項５】
前記取得部は、前記災害情報として、災害を予報する予報情報と、災害の発生を通知する災害発生情報とを取得し、
前記割り当て部は、前記予報情報が取得されたときに特定された通信装置と前記災害発生情報が取得されたときに特定された通信装置の差分を補正するように、前記チャネルの割り当てを修正することを特徴とする請求項１乃至４の何れかに記載の通信制御装置。
【請求項６】
前記１以上の中継装置の各々から通信回線ごとの前記チャネルの使用率を受信する受信部を、さらに有し、
前記特定部は、前記受信部により受信した各通信回線の前記チャネルの使用率の平均値と所定の閾値を比較した結果、前記平均値が前記所定の閾値を下回った場合、前記支援エリアを拡張して、前記複数の通信装置のうち、拡張された前記支援エリア内の前記１以上の通信端末と回線接続された通信装置を再特定し、
前記割り当て部は、前記特定部により再特定された通信装置と接続された前記１以上の中継装置の通信回線のうち、前記再特定された通信装置との間の通信回線に、前記チャネルを他の通信回線より多く割り当てることを特徴とする請求項１乃至５の何れかに記載の通信制御装置。
【請求項７】
前記受信部は、所定の時間間隔で前記チャネルの使用率を受信し、
前記特定部は、前記チャネルの使用率が受信されるたびに、前記チャネルの使用率の前記平均値と前記所定の閾値を比較することを特徴とする請求項６に記載の通信制御装置。
【請求項８】
前記割り当て部は、前記特定部により前記支援エリアの拡張が所定回数行われた場合、前記平均値が所定の閾値を下回ったとき、前記チャネルの割り当てを前記災害情報の取得前の状態に戻すことを特徴とする請求項７に記載の通信制御装置。
【請求項９】
互いに異なるエリア内の１以上の通信端末と回線接続された複数の通信装置と、前記複数の通信装置間の通信を中継する１以上の中継装置と、前記１以上の中継装置を制御する通信制御装置とを有する通信システムにおいて、
前記複数の通信装置及び前記１以上の中継装置は、前記１以上の通信端末の各々の通信データを、前記複数の通信装置及び前記１以上の中継装置の間の通信回線に割り当てられたチャネルに収容して送受信し、
前記通信制御装置は、
災害に関する災害情報を取得し、
取得した前記災害情報から被災地の支援エリアを決定し、
前記複数の通信装置の各々の前記エリアを示すエリア情報に基づき、前記複数の通信装置のうち、前記被災地及び前記支援エリア内の前記１以上の通信端末と回線接続された通信装置を特定し、
特定した通信装置と接続された前記１以上の中継装置の通信回線のうち、前記特定した通信装置との間の通信回線に、前記チャネルを他の通信回線より多く割り当てることを特徴とする通信システム。
【請求項１０】
互いに異なるエリア内の１以上の通信端末と回線接続された複数の通信装置間の通信を中継する１以上の中継装置を制御する通信制御方法において、
災害に関する災害情報を取得し、
取得した前記災害情報から被災地の支援エリアを決定し、
前記複数の通信装置の各々の前記エリアを示すエリア情報に基づき、前記複数の通信装置のうち、前記被災地及び前記支援エリア内の前記１以上の通信端末と回線接続された通信装置を特定し、
特定した通信装置と接続された前記１以上の中継装置の通信回線のうち、前記特定した通信装置との間の通信回線に、前記１以上の通信端末の各々の通信データを収容するチャネルを他の通信回線より多く割り当てることを特徴とする通信制御方法。
【発明の詳細な説明】
【技術分野】
【０００１】
本件は、通信制御装置、通信システム、及び通信制御方法に関する。
【背景技術】
【０００２】
災害の発生時、全国から被災地へのトラフィックが増加するため、例えば通信網内の交換機の動作や緊急通信を維持するために、トラフィックを規制する技術が知られている（例えば特許文献１及び２参照）。
【先行技術文献】
【特許文献】
【０００３】
【特許文献１】特開２０１０−６２６８１号公報
【特許文献２】特開２０１１−５５１０８号公報
【発明の概要】
【発明が解決しようとする課題】
【０００４】
しかし、被災地を迅速に支援するためには、単に交換機の動作や緊急通信を維持するだけでは十分ではなく、被災地とその支援エリア（例えば被災地の周辺地域）の間の通信が確保されることが重要である。
【０００５】
そこで本件は上記の課題に鑑みてなされたものであり、被災地とその支援エリアの間の通信を確保する通信制御装置、通信システム、及び通信制御方法を提供することを目的とする。
【課題を解決するための手段】
【０００６】
本明細書に記載の通信制御装置は、互いに異なるエリア内の１以上の通信端末と回線接続された複数の通信装置間の通信を中継する１以上の中継装置を制御する通信制御装置において、災害に関する災害情報を取得する取得部と、前記取得部が取得した前記災害情報から被災地の支援エリアを決定し、前記複数の通信装置の各々の前記エリアを示すエリア情報に基づき、前記複数の通信装置のうち、前記被災地及び前記支援エリア内の前記１以上の通信端末と回線接続された通信装置を特定する特定部と、前記特定部により特定された通信装置と接続された前記１以上の中継装置の通信回線のうち、前記特定された通信装置との間の通信回線に、前記１以上の通信端末の各々の通信データを収容するチャネルを、他の通信回線より多く割り当てる割り当て部とを有する。
【０００７】
本明細書に記載の通信システムは、互いに異なるエリア内の１以上の通信端末と回線接続された複数の通信装置と、前記複数の通信装置間の通信を中継する１以上の中継装置と、前記１以上の中継装置を制御する通信制御装置とを有し、前記複数の通信装置及び前記１以上の中継装置は、前記１以上の通信端末の各々の通信データを、前記複数の通信装置及び前記１以上の中継装置の間の通信回線に割り当てられたチャネルに収容して送受信し、前記通信制御装置は、災害に関する災害情報を取得し、取得した前記災害情報から被災地の支援エリアを決定し、前記複数の通信装置の各々の前記エリアを示すエリア情報に基づき、前記複数の通信装置のうち、前記被災地及び前記支援エリア内の前記１以上の通信端末と回線接続された通信装置を特定し、特定した通信装置と接続された前記１以上の中継装置の通信回線のうち、前記特定した通信装置との間の通信回線に、前記チャネルを他の通信回線より多く割り当てる。
【０００８】
本明細書に記載の通信制御方法は、互いに異なるエリア内の１以上の通信端末と回線接続された複数の通信装置間の通信を中継する１以上の中継装置を制御する通信制御方法において、災害に関する災害情報を取得し、取得した前記災害情報から被災地の支援エリアを決定し、前記複数の通信装置の各々の前記エリアを示すエリア情報に基づき、前記複数の通信装置のうち、前記被災地及び前記支援エリア内の前記１以上の通信端末と回線接続された通信装置を特定し、特定した通信装置と接続された前記１以上の中継装置の通信回線のうち、前記特定した通信装置との間の通信回線に、前記１以上の通信端末の各々の通信データを収容するチャネルを他の通信回線より多く割り当てる方法である。
【発明の効果】
【０００９】
被災地とその支援エリアの間の通信を確保できる。
【図面の簡単な説明】
【００１０】
【図１】通信システムの一例を示す構成図である。
【図２】被災地の支援エリアを拡張した通信システムの一例を示す構成図である。
【図３】トラフィック制御装置の一例を示す構成図である。
【図４（ａ）】加入者収容ノードデータベースの一例を示す図である。
【図４（ｂ）】中継ノードデータベースの一例を示す図である。
【図５（ａ）】災害情報の一例を示す図である。
【図５（ｂ）】ノードリストの一例を示す図である。
【図５（ｃ）】トランク割当テーブルの一例を示す図である。
【図６】中継ノードの一例を示す構成図である。
【図７】トランク割り当て処理の一例を示すシーケンス図である。
【図８】ノードリストの生成例を示す図である。
【図９】トランク割当テーブルの生成例を示す図である。
【図１０】トラフィック制御装置の動作の一例を示すフローチャートである。
【図１１】予報時の被災地及び支援エリアの一例を示す図である。
【図１２】災害発生時の被災地及び支援エリアの一例を示す図である。
【図１３】予報時及び災害発生時のノードリストの差分の補正例を示す図である。
【図１４】トランク割り当て処理の一例を示すフローチャートである。
【図１５】支援エリアの拡張処理の一例を示すシーケンス図である。
【図１６】支援エリアの拡張処理の一例を示すフローチャートである。
【図１７】支援エリアの拡張例を示す図である。
【発明を実施するための形態】
【００１１】
図１は、通信システムの一例を示す構成図である。通信システムは、通信制御装置の一例であるトラフィック制御装置１と、電話網ＮＷ内に設置された複数の中継ノードＡ〜Ｃ及び加入者収容ノードａ１〜ｃ３とを有する。中継ノードＡ〜Ｃは、中継装置の一例であり、加入者収容ノードａ１〜ｃ３は、通信装置の一例である。なお、本実施例では、電話網ＮＷの一例として、携帯電話機の通信ネットワークを挙げるが、これに限定されず、公衆交換電話網（PSTN: Public Switched Telephone Network）であってもよい。
【００１２】
加入者収容ノードａ１〜ｃ３は、例えば基地局であり、互いに異なるエリア内の通信端末ｘ１〜ｘ３と回線接続されている。例えば、加入者収容ノードａ３は、エリアＺａ３内の通信端末ｘ１と回線接続され、加入者収容ノードｂ３は、エリアＺｂ３内の通信端末ｘ３と回線接続されている。加入者収容ノードｂ１，ｂ２は、エリアＺｂ１，Ｚｂ２内の通信端末ｘ２と回線接続されている。このように、加入者収容ノードａ１〜ｃ３は、カバーエリアが互いに異なる。なお、通信端末ｘ１〜ｘ３としては、通信サービスの加入者が所有する携帯電話機やスマートフォンが挙げられるが、公衆交換電話網の場合、固定電話機が挙げられる。
【００１３】
中継ノードＡ〜Ｃは、例えば中継局であり、複数の加入者収容ノードａ１〜ｃ３と接続されている。中継ノードＡは、加入者収容ノードａ１〜ａ３と接続され、中継ノードＢは、加入者収容ノードｂ１〜ｂ３と接続され、中継ノードＣは、加入者収容ノードｃ１〜ｃ３と接続されている。また、中継ノードＡと中継ノードＢは、互いに接続され、中継ノードＢと中継ノードＣは、互いに接続されている。中継ノードＡ〜Ｃ及び加入者収容ノードａ１〜ｃ３は、例えば光ファイバを介して相互に接続されている。なお、電話網ＮＷ内の接続形態は、上記に限定されず、他の接続形態であってもよい。
【００１４】
このような接続構成により、中継ノードＡ〜Ｃは、加入者収容ノードａ１〜ｃ３間の通信を中継する。より具体的には、中継ノードＡ〜Ｃは、通信端末ｘ１〜ｘ３間で通話を開始するときの呼接続を行う。
【００１５】
中継ノードＡ〜Ｃは、他の中継ノードＡ〜Ｃ及び加入者収容ノードａ１〜ｃ３との間に開設された通信回線を介して通信する。中継ノードＡ〜Ｃは、複数の通信ポート＃１〜＃５を有し、通信ポート＃１〜＃５ごとに通信回線が開設されている。例えば、中継ノードＡは、通信ポート＃１の通信回線を介して中継ノードＢと通信し、通信ポート＃２〜＃４の通信回線を介して加入者収容ノードａ１〜ａ３とそれぞれ通信する。
【００１６】
中継ノードＡ〜Ｃ及び加入者収容ノードａ１〜ｃ３は、各通信端末ｘ１〜ｘ３の通信データを、通信回線に割り当てられたトランクに収容して送受信する。トランクは、チャネルの一例であり、各中継ノードＡ〜Ｃの通信ポート＃１〜＃５は、トランクごとの通信データが多重化された信号を処理し、１つのトランクに対して、呼接続された一組の通信端末ｘ１〜ｘ３間の通信データを送受信できる。このため、各中継ノードＡ〜Ｃは、通信ポート＃１〜＃５ごとに、割り当てられたトランク数と同数の呼処理を行うことができる。
【００１７】
各中継ノードＡ〜Ｃの呼処理の能力は、搭載されたプロセッサの性能及びメモリの性能と容量などに応じて制限されるため、各中継ノードＡ〜Ｃで同時に実行可能な呼処理の数は有限である。つまり、各中継ノードＡ〜Ｃの呼処理の能力は、ハードウェアリソースにより制限される。このため、各中継ノードＡ〜Ｃの通信ポート＃１〜＃５には、全体で一定数を超えないようにトランクが割り当てられる。
【００１８】
トラフィック制御装置１は、例えば制御用の通信回線を介して、各中継ノードＡ〜Ｃを制御する。トラフィック制御装置１は、中継ノードＡ〜Ｃごとに、各通信ポート＃１〜＃５に、通信状況に応じたトランク数の割り当て設定を行う。このため、通信ポート＃１〜＃５には、処理対象の通信データ量、つまり呼の数が多いほど、多くのトランクが割り当てられる。
【００１９】
上記のような通信システムでは、地震などの災害が発生した場合、全国から被災地Ｚ１へのトラフィックが増加することでトラフィックの輻輳が生じ、被災地Ｚ１内の通信端末ｘ２との通話が困難となることが懸念される。この場合、被災地Ｚ１への支援が遅延して、被害が拡大するおそれがある。図１の例では、被災地Ｚ１内のエリアＺｂ１，Ｚｂ２内の通信端末ｘ２の通話が困難となる。
【００２０】
このため、トラフィック制御装置１は、災害監視システム３から災害に関する災害情報を取得し、災害情報から被災地Ｚ１の周辺地域を支援エリアＺ２と決定して、被災地Ｚ１と支援エリアＺ２の間の通信を確保する。支援エリアＺ２としては、例えば、被災地Ｚ１に３０分前後で移動可能な範囲内の地域が挙げられる。本実施例では、支援エリアＺ２は、被災地Ｚ１から１０ｋｍ圏内とするが、これに限定されず、例えば１５ｋｍ圏内を支援エリアＺ２としてもよい。また、支援エリアＺ２は被災地Ｚ１に隣接しているが、被災地Ｚ１と離れた地域でもよい。なお、図１では、被災地Ｚ１及び支援エリアＺ２の外形を、簡単のため、楕円形で表現している。
【００２１】
また、災害監視システム３としては、例えば、気象庁が運用する災害関連の情報システムが挙げられるが、これに限定されず、例えば、企業が運用する災害関連の情報システムが用いられてもよい。
【００２２】
トラフィック制御装置１は、各加入者収容ノードａ１〜ｃ３がカバーするエリアを示すエリア情報に基づき、被災地Ｚ１内の通信端末ｘ２と回線接続された加入者収容ノードｂ１，ｂ２と、支援エリアＺ２内の通信端末ｘ１，ｘ３と回線接続された加入者収容ノードａ３，ｂ３とを特定する。トラフィック制御装置１は、特定した加入者収容ノードａ３，ｂ１，ｂ２，ｂ３と回線接続された中継ノードＡ，Ｂについて、特定した加入者収容ノードａ３，ｂ１，ｂ２，ｂ３との間の通信回線及び中継ノードＡ，Ｂ同士を結ぶ通信回線に他の通信回線より多くのトランクを割り当てる。
【００２３】
このため、災害発生時、被災地Ｚ１内の通信端末ｘ２と支援エリアＺ２内の通信端末ｘ１，ｘ３との間の通信回線Ｒ１，Ｒ２において、トランク数、つまり呼数が増加する。したがって、被災地Ｚ１と支援エリアＺ２の間の通信が確保される（矢印参照）。
【００２４】
また、災害発生によるトラフィックの輻輳は、時刻の経過に伴って緩和される。このため、トラフィック制御装置１は、所定の時間間隔でトランクの使用率をチェックし、使用率が所定の閾値を下回った場合、支援エリアＺ２を拡張して、トランクの割り当てをやり直す。そして、トラフィック制御装置１は、支援エリアＺ２の拡張を所定回数行った後、トランク割り当てを災害発生前の状態に戻す。
【００２５】
図２は、被災地Ｚ１の支援エリアＺ２を拡張した通信システムの一例を示す構成図である。本例において、最初の拡張後の支援エリアＺ２’（点線の楕円を参照）は、被災地Ｚ１の外周から５０ｋｍ圏内とするが、これに限定されず、例えば５５ｋｍ圏内としてもよい。
【００２６】
トラフィック制御装置１は、被災地Ｚ１及び拡張された支援エリアＺ２’内の通信端末ｘ１〜ｘ５と回線接続された中継ノードＡ〜Ｃを再特定し、再特定した中継ノードＡ〜Ｃの通信回線にトランクの割り当てを再実行する。拡張された支援エリアＺ２’には、加入者収容ノードａ２のエリアＺａ２と加入者収容ノードｃ１のエリアＺｃ１が新たに含まれる。このため、トラフィック制御装置１は、上記の通信回線に加え、加入者収容ノードａ２と中継ノードＡの間の通信回線、加入者収容ノードｃ１と中継ノードＣの間の通信回線、及び中継ノードＢ，Ｃ同士を結ぶ通信回線にも、他の通信回線より多くのトランクを割り当てる。
【００２７】
これにより、被災地Ｚ１内の通信端末ｘ２と支援エリアＺ２’内の通信端末ｘ１，ｘ３〜ｘ５との間の通信回線Ｒ１〜Ｒ５において呼接続の数が増加する。さらに、支援エリアＺ２内の通信端末ｘ３〜ｘ５間の通信回線Ｒ６，Ｒ７においても呼接続の数が増加する。このように、段階的に支援エリアＺ２の範囲を拡張して、通信の確保対象の地域を広げることにより、被災地Ｚ１への支援を時刻経過とともに強化することができる。
【００２８】
また、トラフィック制御装置１は、支援エリアＺ２の拡張を所定回数（本例では２回）行った後、トランクの割り当て状態を災害の発生前の状態に戻す。このため、被災地Ｚ１及び支援エリアＺ２以外のエリア内の通信端末は、災害発生から一定時間が経過した後、災害発生前と同様の通話が可能となる。
【００２９】
次に、トラフィック制御装置１及び中継ノードＡ〜Ｃの構成を説明する。
【００３０】
図３は、トラフィック制御装置１の一例を示す構成図である。トラフィック制御装置１は、ＣＰＵ（Central Processing Unit）１０、ＲＯＭ（Read Only Memory）１１、ＲＡＭ（Random Access Memory）１２、パラメータメモリ１３、複数の通信ポート１４、及びＨＤＤ（Hard Disk Drive）１５を有する。
【００３１】
ＣＰＵ１０は、互いに信号の入出力ができるように、ＲＯＭ１１、ＲＡＭ１２、パラメータメモリ１３、複数の通信ポート１４、及びＨＤＤ１５と、データバス１６を介して接続されている。ＲＯＭ１１は、ＣＰＵ１０を駆動するプログラムが格納されている。ＲＡＭ１２は、ＣＰＵ１０のワーキングメモリとして機能する。
【００３２】
通信ポート１４は、例えばＰＨＹ（Physical layer）チップを含み、災害監視システム３及び中継ノードＡ〜Ｃとの間でパケットを送受信する。なお、パケットとしては、例えばＩＰ（Internet Protocol）パケットが挙げられるが、これに限定されず、ＡＴＭ（Asynchronous Transfer Mode）セルなどの他のＰＤＵ（Protocol Data Unit）が用いられてもよい。
【００３３】
ＨＤＤ１５には、加入者収容ノードデータベース（ＤＢ）１５０及び中継ノードデータベース（ＤＢ）１５１が格納されている。加入者収容ノードＤＢ１５０及び中継ノードＤＢ１５１は、例えば、電話網ＮＷを管理する管理システムから取得される。
【００３４】
図４（ａ）には、加入者収容ノードＤＢ１５０の一例が示されている。加入者収容ノードＤＢ１５０には、「加入者収容ノード」情報、「中継ノード」情報、及び「カバーエリア」情報が、互いに対応付けられて登録されている。
【００３５】
「加入者収容ノード」情報は、各加入者収容ノードａ１〜ｃ３の識別情報である。本例では、「加入者収容ノード」情報として、ａ１〜ｃ３が登録されている。
【００３６】
「中継ノード」情報は、各加入者収容ノードａ１〜ｃ３が接続された中継ノードＡ〜Ｃの識別情報である。本例では、「中継ノード」情報として、Ａ〜Ｃが登録されている。本例の加入者収容ノードＤＢ１５０には、図１及び図２に示されるとおり、加入者収容ノードａ１〜ａ３が中継ノードＡに接続され、加入者収容ノードｂ１〜ｂ３が中継ノードＢに接続され、加入者収容ノードｃ１〜ｃ３が中継ノードＣに接続されていることが示されている。
【００３７】
「カバーエリア」情報は、エリア情報の一例であり、各加入者収容ノードａ１〜ｃ３のカバーエリアを示す。「カバーエリア」情報には、例えば、各加入者収容ノードａ１〜ｃ３が通信端末ｘ１〜ｘ３と回線接続できるエリアＺａ１〜Ｚｃ３の中心の経度及び緯度と、半径とが含まれる。
【００３８】
加入者収容ノードＤＢ１５０は、後述するように、被災地Ｚ１及び支援エリアＺ２内の通信端末ｘ１〜ｘ３と回線接続された中継ノードＡ〜Ｃの特定に用いられる。
【００３９】
また、図４（ｂ）には、中継ノードＤＢ１５１の一例が示されている。中継ノードＤＢ１５１には、中継ノードＡ〜Ｃごとに「ポート」情報、「ノード」情報、及び「トランク割当率」情報が登録されている。
【００４０】
「ポート」情報は、中継ノードＡ〜Ｃの通信ポート（図６の符号２４参照）の識別番号である。「ポート」情報は、「１」〜「５」を示し、図１及び図２に示された中継ノードＡ〜Ｃのポート番号「＃１」〜「＃５」にそれぞれ対応する。
【００４１】
「ノード」情報は、各通信ポートの接続先の加入者収容ノードａ１〜ｃ３または他の中継ノードＡ〜Ｃの識別情報である。本例の中継ノードＤＢ１５１には、中継ノードＡに関し、図１及び図２に示されるとおり、通信ポート＃１が中継ノードＢに接続され、通信ポート＃２〜＃４が加入者収容ノードａ１〜ａ３にそれぞれ接続されていることが示されている。
【００４２】
「トランク割当率」情報は、中継ノードＡ〜Ｃが同時に処理可能な最大トランク数（つまり最大呼数）に対する、各通信ポート＃１〜＃５の通信回線に割り当てられたトランク数の比率（％）を示す。例えば、中継ノードＡの通信ポート＃１〜＃４には、それぞれ、２５（％）のトランクが割り当てられている。
【００４３】
このため、例えば中継ノードＡが同時に処理可能な最大トランク数を１００個とした場合、中継ノードＡは、各通信ポート＃１〜＃４の通信回線に２５個のトランクが割り当てられることになる。したがって、中継ノードＡは、通信ポート＃１〜＃４ごとに２５個の呼、つまり通信端末ｘ１〜ｘ３の発信及び着信を処理することができる。なお、割り当てられたトランク数を超える数の呼が発生した場合、各中継ノードＡ〜Ｃは、呼を受け付けず、呼のパケットを廃棄する。
【００４４】
中継ノードＤＢ１５１は、各中継ノードＡ〜Ｃの通信回線に対するトランクの割り当てに用いられる。
【００４５】
再び図３を参照すると、パラメータメモリ１３には、災害情報１３０、ノードリスト１３１、及びトランク割当テーブル１３２が記憶されている。なお、パラメータメモリ１３としては、例えばＳＤＲＡＭ（Synchronous Dynamic RAM）が挙げられる。
【００４６】
図５（ａ）には、災害情報１３０の一例が示されている。災害情報１３０には、一例として、「種類」情報、「規模」情報、及び「エリア」情報が含まれる。
【００４７】
「種類」情報は、例えば地震などの災害の種類を示す。「規模」情報は、地震の場合、震度を示す。「エリア」情報は、被災地Ｚ１のエリアを示し、一例として、被災地Ｚ１の中心の緯度及び経度と、半径とを含む。
【００４８】
災害情報１３０は、取得部の一例である通信ポート１４により災害監視システム３から取得され、被災地Ｚ１の支援エリアＺ２の決定に用いられる。なお、災害情報１３０としては、後述するように、災害を予報する予報情報と、災害の発生を通知する災害発生情報とが存在する。
【００４９】
図５（ｂ）には、ノードリスト１３１の一例が示されている。ノードリスト１３１は、災害情報１３０が取得されたとき、被災地Ｚ１の支援エリアＺ２の決定後、加入者収容ノードＤＢ１５０に基づいて生成される。ノードリスト１３１には、「加入者収容ノード」情報、「中継ノード」情報、及び「優先」情報が、互いに対応付けられて登録されている。
【００５０】
「加入者収容ノード」情報は、被災地Ｚ１及び支援エリアＺ２内のエリアをカバーエリアとする加入者収容ノードａ１〜ｃ３の識別情報である。「中継ノード」情報は、その加入者収容ノードａ１〜ｃ３が接続された中継ノードＡ〜Ｃの識別情報である。「優先」情報は、加入者収容ノードａ１〜ｃ３と中継ノードＡ〜Ｃの通信回線に、他の通信回線より優先してトランクを割り当てるか否かを示す。
【００５１】
すなわち、「優先」情報は、トランク割り当ての優先対象を示す。「優先」情報は、「○」の場合、優先対象であることを示し、「×」の場合、優先対象ではないことを示す。例えば、中継ノードＡでは、加入者収容ノードａ１，ａ２との間の通信回線に、他の通信回線より多くのトランクが割り当てられ、中継ノードＢでは、加入者収容ノードｂ１との間の通信回線に、他の通信回線より多くのトランクが割り当てられる。また、中継ノードＣでは、加入者収容ノードｃ１，ｃ２との間の通信回線に、他の通信回線と同様にトランクが割り当てられる。
【００５２】
ノードリスト１３１は、トランクの割り当てに用いられる。
【００５３】
図５（ｃ）には、トランク割当テーブル１３２の一例が示されている。図５（ｃ）は、一例として、中継ノードＡのトランク割当テーブル１３２を示すが、他の中継ノードＢ，Ｃのトランク割当テーブル１３２も同様の構成を有する。
【００５４】
トランク割当テーブル１３２は、中継ノードＤＢ１５１から取得した各中継ノードＡ〜Ｃのテーブル内の「トランク割当率」を、ノードリスト１３１の「優先」情報に基づいて変更することで生成される。トランク割当テーブル１３２は、中継ノードＤＢ１５１と同様の構成を有し、トランクの割り当てに用いられる。なお、トランク割当テーブル１３２の生成の詳細については後述する。
【００５５】
再び図３を参照すると、ＣＰＵ１０は、ＲＯＭ１１からプログラムを読み込むと、機能として、支援エリア決定部１００、優先トランク割当部１０１、トランク割当設定部１０２、通常トランク割当部１０３、及びトラフィック状況監視部１０４が形成される。以下に、支援エリア決定部１００、優先トランク割当部１０１、トランク割当設定部１０２、通常トランク割当部１０３、及びトラフィック状況監視部１０４の機能を、図１の環境を前提として説明する。なお、トラフィック制御装置１は、上記のようにソフトウェアで動作するものに限定されず、ハードウェアのみで動作するものであってもよい。
【００５６】
支援エリア決定部１００は、特定部の一例であり、通信ポート１４が取得した災害情報１３０から被災地Ｚ１の支援エリアＺ２を決定する。このとき、支援エリア決定部１００は、被災地Ｚ１から所定の距離内の地域を支援エリアＺ２として決定する。このため、被災地Ｚ１の周辺地域が支援エリアＺ２に決定されるので、被災地Ｚ１への迅速な支援が期待できる。
【００５７】
また、支援エリア決定部１００は、加入者収容ノードＤＢ１５０内の「カバーエリア」情報に基づき、被災地Ｚ１及び支援エリアＺ２内の通信端末ｘ１〜ｘ３と回線接続された加入者収容ノードａ３，ｂ１〜ｂ３を特定する。このとき、支援エリア決定部１００は、例えば、「カバーエリア」情報が示す各加入者収容ノードａ１〜ｃ３のカバーエリアＺａ１〜Ｚｃ３の範囲と、災害情報１３０の「エリア」情報が示す被災地Ｚ１の範囲及び決定した支援エリアＺ２の範囲を比較することで、加入者収容ノードａ３，ｂ１〜ｂ３を特定する。
【００５８】
支援エリア決定部１００は、特定した加入者収容ノードａ３，ｂ１〜ｂ３と中継ノードＡ，Ｂの間の通信回線が優先対象となるようにノードリスト１３１を生成する。生成されたノードリスト１３１は、優先トランク割当部１０１に出力される。
【００５９】
優先トランク割当部１０１は、割り当て部の一例であり、支援エリア決定部１００により特定された加入者収容ノードａ３，ｂ１〜ｂ３と接続された中継ノードＡ，Ｂの通信回線のうち、その加入者収容ノードａ３，ｂ１〜ｂ３との間の通信回線に他の通信回線より多くのトランクを割り当てる。さらに、優先トランク割当部１０１は、特定された加入者収容ノードａ３，ｂ１〜ｂ３と接続された中継ノードＡ，Ｂ同士を結ぶ通信回線に、他の通信回線より多くのトランクを割り当てる。
【００６０】
このため、各中継ノードＡ，Ｂでは、特定された加入者収容ノードａ３，ｂ１〜ｂ３との間の通信回線及び他方の中継ノードＢ，Ａとの間の通信回線に、他の通信回線より多くのトランクが割り当てられる。したがって、図１の例のように、被災地Ｚ１及び支援エリアＺ２の少なくとも一部をカバーする各加入者収容ノードａ３，ｂ１〜ｂ３が、複数の中継ノードＡ，Ｂに接続されている場合でも、被災地Ｚ１及び支援エリアＺ２の間の通信が確保される。
【００６１】
これに対し、図１の例とは異なり、被災地Ｚ１及び支援エリアＺ２の少なくとも一部をカバーする各加入者収容ノードａ１〜ｃ３が、同一の中継ノードＡ〜Ｃに接続されている場合、優先トランク割当部１０１は、特定された加入者収容ノードとの間の通信回線だけに他の通信回線より多くのトランクを割り当てる。この場合、特定された加入者収容ノード同士の通信は、単一の中継ノードＡ〜Ｃで中継されるため、優先トランク割当部１０１は、中継ノードＡ〜Ｃ同士を結ぶ通信回線に、他の通信回線より多くのトランクを割り当てることはない。
【００６２】
優先トランク割当部１０１は、支援エリア決定部１０から入力されたノードリスト１３１に基づき、中継ノードＡ，Ｂの各通信ポートの「トランク割当率」を算出する。このとき、優先トランク割当部１０１は、ノードリスト１３１の優先対象以外の通信回線に割り当てられたトランクを減少させ、その減少分のトランクを残りの通信回線、つまり優先対象の通信回線に分配する。このため、優先対象の通信回線には、簡単な方法で優先的にトランクが割り当てられる。
【００６３】
優先トランク割当部１０１は、中継ノードＤＢ１５１から、ノードリスト１３１に優先対象として登録された加入者収容ノードａ３，ｂ１〜ｂ３に対応する全ての中継ノードＡ，Ｂのテーブルを取得する。優先トランク割当部１０１は、取得したテーブルに「トランク割当率」の算出結果を反映することで、トランク割当テーブル１３２を生成する。生成されたトランク割当テーブル１３２は、トランク割当設定部１０２に出力される。
【００６４】
トランク割当設定部１０２は、トランク割当テーブル１３２に基づいて、電話網ＮＷを介し、制御対象の中継ノードＡ，Ｂに、通信回線ごとのトランク割り当てを設定する。また、トランク割当設定部１０２は、災害が発生していないとき（以下、「通常時」と表記）、通常トランク割当部１０３の指示に従って、各中継ノードＡ〜Ｃにトランク割り当てを設定する。
【００６５】
通常トランク割当部１０３は、災害時には動作せず、通常時のみ動作する。通常トランク割当部１０３は、トラフィック状況監視部１０４により受信された中継ノードＡ〜Ｃの通信回線ごとのトランクの使用率に基づいてトランク割当率を算出し、中継ノードＤＢ１５１の各中継ノードＡ〜Ｃのテーブルに登録する。通常トランク割当部１０３は、算出したトランク割当率をトランク割当設定部１０２に出力する。なお、優先トランク割当部１０１は、通常トランク割当部１０３とは逆に、通常時に動作せず、災害時のみ動作する。このため、優先トランク割当部１０１は、災害情報１３０が取得されたことを契機として動作する。
【００６６】
トラフィック状況監視部１０４は、受信部の一例であり、各中継ノードＡ〜Ｃから通信回線ごとのトランクの使用率を所定の時間間隔（例えば３時間）で受信する。トランクの使用率は、例えば、特定のタイミングにおいて、通信回線に割り当てられた全トランクに対して、通信データの送受信に使用されているトランクの割合として算出される。受信されたトランクの使用率は、通常トランク割当部１０３及び支援エリア決定部１００に出力される。支援エリア決定部１００は、後述するように、トランクの使用率の平均値と所定の閾値の比較結果に応じて、支援エリアＺ２を拡張する。
【００６７】
次に、中継ノードＡ〜Ｃの構成を説明する。図６は、中継ノードＡ〜Ｃの一例を示す構成図である。中継ノードＡ〜Ｃは、ＣＰＵ２０、ＲＯＭ２１、ＲＡＭ２２、パラメータメモリ２３、及び複数の通信ポート２４を有する。
【００６８】
ＣＰＵ２０は、互いに信号の入出力ができるように、ＲＯＭ２１、ＲＡＭ２２、パラメータメモリ２３、及び複数の通信ポート２４と、データバス２６を介して接続されている。ＲＯＭ２１は、ＣＰＵ２０を駆動するプログラムが格納されている。ＲＡＭ２２は、ＣＰＵ２０のワーキングメモリとして機能する。通信ポート２４は、例えばＰＨＹチップを含み、トラフィック制御装置１、他の中継ノードＡ〜Ｃ、及び加入者収容ノードａ１〜ｃ３との間でパケットを送受信する。
【００６９】
パラメータメモリ２３には、トランク使用率テーブル２３０及びトランク割当テーブル２３１が記憶されている。トランク使用率テーブル２３０には、通信回線ごとのトランクの使用率が登録されている。トランク割当テーブル２３１には、トラフィック制御装置１から設定されたトランク割当率が通信回線ごとに登録されている。
【００７０】
ＣＰＵ２０は、ＲＯＭ２１からプログラムを読み込むと、機能として、呼処理部２００、トランク割当処理部２０１、及びトラフィック状況通知部２０２とが形成される。なお、中継ノードＡ〜Ｃは、上記のようにソフトウェアで動作するものに限定されず、ハードウェアのみで動作するものであってもよい。
【００７１】
呼処理部２００は、通信端末ｘ１〜ｘ３間の発信及び着信を処理し、通信端末ｘ１〜ｘ３間の呼接続（スイッチング）を行う。呼処理部２００は、発信及び着信の呼信号のパケットを、通信ポート２４を介して送受信する。
【００７２】
トランク割当処理部２０１は、トラフィック制御装置１からのトランク割り当て設定に従って、通信回線、つまり通信ポート２４ごとにトランクを割り当てる。より具体的には、トランク割当処理部２０１は、トラフィック制御装置１から通信ポート２４ごとのトランク割当率を受信して、設定内容をトランク割当テーブル２３１に登録する。
【００７３】
上述したように、ＣＰＵ２０及びＲＡＭ２２などのハードウェアリソースは有限であるため、トランク割当処理部２０１は、トランク割当テーブル２３１に従い、通信ポート２４ごとに、呼処理部２００に関連するハードウェアリソースを割り当てる。このため、呼処理部２００は、通信ポート２４ごとに、割り当てられたトランク数と同数の呼を処理できる。仮にトランク数を超える呼が発生した場合、呼処理部２００は、呼信号のパケットを廃棄する。したがって、中継ノードＡ〜Ｃは、ハードウェアリソースの不足のために、呼処理に支障が生ずることがない。
【００７４】
トラフィック状況通知部２０２は、通信ポート２４ごとにトランクの使用率を算出して、トランク使用率テーブル２３０に登録する。トランクの使用率は、通信ポート２４に割り当てられたトランク数、つまり同時に処理可能な最大の呼数（発着信数）に対する、処理中の呼数である。トラフィック状況通知部２０２は、所定の時間間隔でトランク使用率テーブル２３０を更新し、通信ポート２４を介してトラフィック制御装置１に送信する。トラフィック制御装置１は、通常時、トランクの使用率に基づいてトランクを割り当てる。
【００７５】
次に、災害発生時のトラフィック制御装置１のトランク割り当て処理を説明する。図７は、トランク割り当て処理の一例を示すシーケンス図である。
【００７６】
支援エリア決定部１００は、災害監視システム３から災害情報１３０を受信すると、支援エリアＺ２を決定する（符号Ｓｑ１参照）。このとき、支援エリア決定部１００は、例えば、被災地Ｚ１から１０ｋｍ以内の地域を支援エリアＺ２として決定する。
【００７７】
支援エリア決定部１００は、災害情報１３０の「エリア」情報に基づいて、加入者収容ノードＤＢ１５０から、被災地Ｚ１及び支援エリアＺ２の少なくとも一部を含むエリアＺａ３，Ｚｂ１〜Ｚｂ３をカバーエリアとする加入者収容ノードａ３，ｂ１〜ｂ３を示すノード情報を取得する。支援エリア決定部１００は、取得したノード情報からノードリスト１３１を生成する（符号Ｓｑ２参照）。
【００７８】
図８には、ノードリスト１３１の生成例が示されている。支援エリア決定部１００は、災害情報１３０の「エリア」情報が示す被災地Ｚ１の緯度、経度、及び半径（符号Ｐ１参照）から支援エリアＺ２を決定する。このとき、支援エリア決定部１００は、例えば、被災地Ｚ１周辺の地図情報を参照して支援エリアＺ２の範囲を算出してもよい。
【００７９】
次に、支援エリア決定部１００は、被災地Ｚ１及び支援エリアＺ２の範囲と、加入者収容ノードＤＢ１５０の「カバーエリア」情報が示すエリアの緯度、経度、及び半径と比較する。支援エリア決定部１００は、比較の結果に基づいて、被災地Ｚ１及び支援エリアＺ２の少なくとも一部を含むエリアＺａ３，Ｚｂ１〜Ｚｂ３をカバーエリアとする加入者収容ノードａ３，ｂ１〜ｂ３のノード情報を、加入者収容ノードＤＢ１５０から取得する（符号Ｐ２参照）。
【００８０】
支援エリア決定部１００は、取得したノード情報からノードリスト１３１を生成する。生成されたノードリスト１３１では、ノード情報が示す加入者収容ノードａ３，ｂ１〜ｂ３に対応する「優先」情報は、全て「○」（つまり優先対象）に設定される（符号Ｐ３参照）。
【００８１】
再び図７を参照すると、支援エリア決定部１００は、生成したノードリスト１３１を優先トランク割当部１０１に出力する。また、支援エリア決定部１００は、通常トランク割当部１０３に動作の停止を指示する。通常トランク割当部１０３は、動作の停止指示を受けると、トランクの割り当て処理を停止して、支援エリア決定部１００に応答を返す。
【００８２】
次に、優先トランク割当部１０１は、ノードリスト１３１から、優先対象の加入者収容ノードａ３，ｂ１〜ｂ３に対応する「中継ノード」情報を抽出する（符号Ｓｑ３参照）。優先トランク割当部１０１は、中継ノードＤＢ１５１から、「中継ノード」情報が示す中継ノードＡ，Ｂのテーブル、つまりトランク割当率を取得する。
【００８３】
次に、優先トランク割当部１０１は、トランクの割り当て処理を行って（符号Ｓｑ４参照）、トランク割当テーブル１３２を生成する。このとき、優先トランク割当部１０１は、中継ノードＤＢ１５１から取得した中継ノードＡ，Ｂのテーブルのトランク割当率を変更することで、トランク割当テーブル１３２を生成する。
【００８４】
図９には、トランク割当テーブル１３２の生成例が示されている。優先トランク割当部１０１は、ノードリスト１３１内の優先対象である加入者収容ノードａ３，ｂ１〜ｂ３に対応する中継ノードＡ，Ｂのテーブルを中継ノードＤＢ１５１から取得して、仮のトランク割当テーブル１３２を生成する（「変更前」参照）。
【００８５】
優先トランク割当部１０１は、ノードリスト１３１内の優先対象である加入者収容ノードａ３（符号Ｐ４参照）及び中継ノードＢ（符号Ｐ５参照）を参照する。そして、優先トランク割当部１０１は、中継ノードＡのトランク割当テーブル１３２内の加入者収容ノードａ３のトランク割当率（符号Ｐ７参照）及び中継ノードＢのトランク割当率（符号Ｐ６参照）を増加させる。すなわち、優先トランク割当部１０１は、通信ポート（＃１，＃４）２４の通信回線のトランク割当率を増加させる。
【００８６】
優先トランク割当部１０１は、他の通信ポート（＃２，＃３）２４の通信回線のトランク割当率を減少させることで、通信ポート（＃１，＃４）２４の通信回線のトランク割当率を増加させる。より具体的には、優先トランク割当部１０１は、通信ポート（＃２，＃３）２４の通信回線のトランク割当率を半分とし（２５÷２＝１２．５％）、余剰分（１２．５＋１２．５＝２５％）を通信ポート（＃１，＃４）２４の通信回線のトランク割当率に均等に分配する（２５＋２５÷２＝３７．５％）。これにより、通信ポート（＃１，＃４）２４の通信回線のトランク割当率が増加する（「変更後」参照）。
【００８７】
また、優先トランク割当部１０１は、ノードリスト１３１内の優先対象である加入者収容ノードｂ１〜ｂ３及び中継ノードＡを参照する。そして、優先トランク割当部１０１は、中継ノードＢのトランク割当テーブル１３２内の加入者収容ノードｂ１〜ｂ３のトランク割当率（符号Ｐ９参照）及び中継ノードＡのトランク割当率（符号Ｐ８参照）を増加させる。すなわち、優先トランク割当部１０１は、通信ポート（＃１，＃３〜＃５）２４の通信回線のトランク割当率を増加させる。
【００８８】
優先トランク割当部１０１は、他の通信ポート（＃２）２４の通信回線のトランク割当率を半分とし（２０÷２＝１０％）、余剰分（１０％）を通信ポート（＃１，＃３〜＃５）２４の通信回線のトランク割当率に均等に分配する（２０＋１０÷４＝２２．５％）。これにより、通信ポート（＃１，＃３〜＃５）２４の通信回線のトランク割当率が増加する（「変更後」参照）。
【００８９】
このように、優先トランク割当部１０１は、支援エリア決定部１００により特定された加入者収容ノードａ３，ｂ１〜ｂ３との間の通信回線、及びその加入者収容ノードａ３，ｂ１〜ｂ３と接続された中継ノードＡ，Ｂ同士を結ぶ通信回線に、他の通信回線より多くのトランクを割り当てる。また、優先トランク割当部１０１は、他の通信回線に割り当てられたトランクを減少させ、その減少分のトランクを残りの通信回線、つまり優先対象の通信回線に分配する。
【００９０】
再び図７を参照すると、優先トランク割当部１０１は、生成したトランク割当テーブル１３２（「変更後」のトランク割当テーブル１３２）をトランク割当設定部１０２に出力する。トランク割当設定部１０２は、トランク割当テーブル１３２に従って、中継ノードＡ〜Ｃのうち、制御対象となる中継ノードＡ，Ｂにトランク割当率の設定要求を送信する。
【００９１】
中継ノードＡ，Ｂは、トランク割当率の設定が完了すると、トランク割当設定部１０２に応答を返す。設定要求の応答は、トランク割当設定部１０２から優先トランク割当部１０１に出力され、さらに、優先トランク割当部１０１から支援エリア決定部１００に出力される。
【００９２】
上記のシーケンスにおいて、災害監視システム３から取得される災害情報１３０としては、災害を予報する予報情報と、災害の発生を通知する災害発生情報とが存在する。トラフィック制御装置１の通信ポート１４は、まず、予報情報を取得し、その後、災害発生情報を取得する。
【００９３】
支援エリア決定部１００は、予報情報が取得されたときに生成したノードリスト１３１と、災害発生情報が取得されたときに生成したノードリスト１３１とをパラメータメモリ１３に保持しておく。トランク割当設定部１０２は、各ノードリスト１３１の差分を補正するように、トランク割り当てを修正する。以下に、上記の動作を含めて、トラフィック制御装置１の動作の詳細を説明する。
【００９４】
図１０は、トラフィック制御装置１の動作の一例を示すフローチャートである。本動作は、例えば一定の周期で実行される。
【００９５】
まず、支援エリア決定部１００は、災害監視システム３から災害情報１３０を取得したか否かを判定する（ステップＳｔ１）。このとき、支援エリア決定部１００は、通信ポート１４が受信したパケットを検査することで、災害情報１３０を検出する。
【００９６】
支援エリア決定部１００は、災害情報１３０が取得されていない場合（ステップＳｔ１のＮｏ）、処理を終了する。また、支援エリア決定部１００は、災害情報１３０が取得されている場合（ステップＳｔ１のＹｅｓ）、支援エリアＺ２を決定する（ステップＳｔ２）。
【００９７】
次に、支援エリア決定部１００は、加入者収容ノードＤＢ１５０から、被災地Ｚ１及び支援エリアＺ２の少なくとも一部をカバーエリアとする加入者収容ノードａ１〜ｃ３を特定する（ステップＳｔ３）。次に、支援エリア決定部１００は、特定した加入者収容ノードａ１〜ｃ３を優先対象とするノードリスト１３１を生成する（ステップＳｔ４）。
【００９８】
次に、優先トランク割当部１０１は、取得された災害情報１３０が予報情報であるか否かを判定する（ステップＳｔ５）。すなわち、優先トランク割当部１０１は、災害情報１３０が予報情報と災害発生情報の何れであるかを判定する。優先トランク割当部１０１は、例えば災害情報１３０を含むパケット内の識別子に基づいて、上記の判定を行う。
【００９９】
優先トランク割当部１０１は、取得した災害情報１３０が予報情報である場合（ステップＳｔ５のＹｅｓ）、生成されたノードリスト１３１に基づいてトランク割り当て処理を行う（ステップＳｔ６）。なお、トランク割り当て処理の詳細については後述する。その後、災害発生情報を取得するため、ステップＳｔ１の処理が再び行われる。
【０１００】
優先トランク割当部１０１は、取得した災害情報１３０が災害発生情報である場合（ステップＳｔ５のＮｏ）、予報情報が取得されたときに生成されたノードリスト１３１と、災害発生情報が取得されたときに生成されたノードリスト１３１との差分を補正する（ステップＳｔ７）。次に、優先トランク割当部１０１は、差分の補正後のノードリスト１３１に基づいてトランク割り当て処理を行う（ステップＳｔ８）。以下に、例を挙げて、上記のノードリスト１３１の差分の補正処理について説明する。
【０１０１】
図１１には、予報時の被災地Ｚ１及び支援エリアＺ２の一例が示されている。符号Ｍは、被災地Ｚ１及び支援エリアＺ２を含む全体のマップを示し、紙面上、横方向を経度とし、縦方向を緯度とする。なお、本例において、加入者収容ノードａ３〜ｃ２がカバーするエリアＺａ３〜Ｚｃ２は、図１及び図２の例とは異なるものとする。
【０１０２】
予報情報から決定された支援エリアＺ２は、加入者収容ノードａ３，ｂ１〜ｂ３がカバーするエリアＺａ３，Ｚｂ１〜Ｚｂ３に含まれる。このため、支援エリア決定部１００は、加入者収容ノードａ３，ｂ１〜ｂ３を優先対象とするノードリスト１３１を生成する。
【０１０３】
優先トランク割当部１０１は、ノードリスト１３１に従って、加入者収容ノードａ３，ｂ１〜ｂ３間の通信回線Ｒ１１，Ｒ１２に、他の通信回線より多くのトランクを割り当てる。これにより、被災地Ｚ１内の通信端末ｘ１と支援エリアＺ２内の通信端末ｘ２，ｘ３の間の通信が確保される。
【０１０４】
このように、優先トランク割当部１０１は、予報時からトランクを割り当てるため、災害の発生に先立って、トランク割り当てを行うことができる。したがって、災害発生後、支援エリアＺ２から被災地Ｚ１に対する迅速な支援が期待される。なお、上記とは異なり、優先トランク割当部１０１は、災害発生時だけトランク割り当てを行ってもよい。
【０１０５】
また、図１２には、災害発生時の被災地Ｚ１’及び支援エリアＺ２’’の一例が示されている。なお、図１２において、図１１と共通する構成については、同一の符号を付し、その説明を省略する。
【０１０６】
本例では、予報情報が示す被災地Ｚ１と災害発生情報が示す被災地Ｚ１’は異なるため、
予報情報から決定された支援エリアＺ２と災害発生情報から決定された支援エリアＺ２’’も異なる。このため、予報時の被災地Ｚ１を災害発生時の被災地Ｚ１’とし、予報時の支援エリアＺ２を災害発生時の支援エリアＺ２’’とするエリアの補正が行われる。
【０１０７】
災害発生情報が示す被災地Ｚ１’及び災害発生情報から決定された支援エリアＺ２’’は、加入者収容ノードｂ２，ｂ３，ｃ１，ｃ２がカバーするエリアＺｂ２，Ｚｂ３，Ｚｃ１，Ｚｃ２に含まれる。このため、支援エリア決定部１００は、加入者収容ノードｂ２，ｂ３，ｃ１，ｃ２を優先対象とするノードリスト１３１を生成する。
【０１０８】
しかし、生成されたノードリスト１３１及び予報時に生成されたノードリスト１３１には差分が存在する。このため、トランク割当設定部１０２は、各ノードリスト１３１の差分を補正するように、トランク割り当てを修正する。
【０１０９】
図１１と図１２を比較すると、加入者収容ノードａ３，ｂ１がカバーするエリアＺａ３，Ｚｂ１は、誤報されたエリアであり、災害発生時の被災地Ｚ１’及び支援エリアＺ２’’を含んでいない。このため、加入者収容ノードａ３，ｂ１間を結ぶ通信回線に多くのトランクを割り当てるのは好ましくない。したがって、トランク割当設定部１０２は、予報時及び災害発生時の各ノードリスト１３１間の差分を補正して、補正後のノードリスト１３１に基づきトランク割り当てを再度実行する。
【０１１０】
これにより、優先トランク割当部１０１は、加入者収容ノードｂ２，ｂ３，ｃ１，ｃ２間を結ぶ通信回線Ｒ１３に、他の通信回線より多くのトランクを割り当てる。これにより、被災地Ｚ１’内の通信端末ｘ４と支援エリアＺ２’’内の通信端末ｘ３，ｘ４の間の通信が確保される（矢印参照）。
【０１１１】
図１３には、予報時及び災害発生時のノードリスト１３１の差分の補正例が示されている。予報時のノードリスト１３１では、加入者収容ノードａ３，ｂ１〜ｂ３が優先対象に設定されているが、災害発生時のノードリスト１３１では、加入者収容ノードｂ２，ｂ３，ｃ１，ｃ２が優先対象に設定されている。
【０１１２】
優先トランク割当部１０１は、予報時のノードリスト１３１と災害発生時のノードリスト１３１を比較し、比較の結果として、加入者収容ノードａ３，ｂ１をノードリスト１３１の差分として検出する（符号Ｐ１０参照）。このため、優先トランク割当部１０１は、予報時及び災害発生時のノードリスト１３１の内容を合成し、差分である加入者収容ノードａ３，ｂ１を優先対象外とすることで（符号Ｐ１１参照）、補正後のノードリスト１３１を生成する。なお、補正後のノードリスト１３１は、パラメータメモリ１３に保持される。
【０１１３】
優先トランク割当部１０１は、補正後のノードリスト１３１に基づいて、中継ノードＡ〜Ｃのトランク割当テーブル１３２を生成する。トランク割当テーブル１３２の生成については上述した通りである。ノードリスト１３１の差分が補正されたため、中継ノードＡのトランク割当テーブル１３２において、各通信ポート（＃１〜４）２４のトランク割当率は均一である。また、中継ノードＢのトランク割当テーブル１３２において、中継ノードＡに対応する通信ポート（＃１）２４のトランク割当率は、優先対象の加入者収容ノードｂ２，ｂ３に対応する通信ポート（＃４，＃５）２４より小さい。
【０１１４】
このように、優先トランク割当部１０１は、予報情報が取得されたときに特定された、加入者収容ノードａ３，ｂ１〜ｂ３と災害発生情報が取得されたときに特定された加入者収容ノードｂ２，ｂ３，ｃ１，ｃ２の差分を補正するように、トランクの割り当てを修正する。このため、予報時のトランクの割り当てから誤報分が除去され、トランクの割り当てが最適化される。
【０１１５】
再び図１０を参照すると、支援エリア決定部１００は、後述する支援エリアＺ２の拡張処理を行って（ステップＳｔ９）、処理を終了する。このようにして、トラフィック制御装置１の動作は行われる。
【０１１６】
次に、上記のステップＳｔ６，Ｓｔ８のトランク割り当て処理について説明する。図１４は、トランク割り当て処理の一例を示すフローチャートである。
【０１１７】
まず、優先トランク割当部１０１は、ノードリスト１３１を取得する（ステップＳｔ３１）。優先トランク割当部１０１は、予報時（つまりステップＳｔ６の処理時）、支援エリア決定部１００からノードリスト１３１を取得し、災害発生時（つまりステップＳｔ８の処理時）、パラメータメモリ１３からノードリスト１３１を取得する。
【０１１８】
次に、優先トランク割当部１０１は、中継ノードＤＢ１５１から、ノードリスト１３１内の優先対象の中継ノードＡ〜Ｃのトランク割当率のテーブルを取得する（ステップＳｔ３２）。次に、優先トランク割当部１０１は、中継ノードＡ〜Ｃの１つを選択して（ステップＳｔ３３）、トランク割当率を算出する（ステップＳｔ３４）。トランク割当率の算出方法については、図９を参照して述べた通りである。
【０１１９】
次に、優先トランク割当部１０１は、未選択の中継ノードＡ〜Ｃが有る場合（ステップＳｔ３５のＹｅｓ）、再びステップＳｔ３３の処理を行う。また、優先トランク割当部１０１は、未選択の中継ノードＡ〜Ｃが無い場合（ステップＳｔ３５のＮｏ）、トランク割当率の算出結果に基づき、トランク割当テーブル１３２を生成する（ステップＳｔ３６）。
【０１２０】
次に、優先トランク割当部１０１は、トランク割当設定部１０２により、中継ノードＡ〜Ｃに、トランク割当テーブル１３２に基づくトランク割り当てを設定する（ステップＳｔ３７）。このようにして、トランク割り当て処理は行われる。
【０１２１】
災害発生後のトラフィックの輻輳の緩和を考慮して、トラフィック制御装置１は、各中継ノードＡ〜Ｃの各通信回線のトランクの使用率の平均値と所定の閾値を比較した結果、平均値が所定の閾値を下回った場合、支援エリアＺ２を拡張する。この場合、トラフィック制御装置１は、拡張された支援エリアＺ２内の通信端末と回線接続された加入者収容ノードａ１〜ｃ３を再特定する。
【０１２２】
そして、トラフィック制御装置１は、再特定された加入者収容ノードａ１〜ｃ３と接続された中継ノードＡ〜Ｃの通信回線のうち、再特定された通信装置との間の通信回線に、トランクを他の通信回線より多く割り当てる。また、トラフィック制御装置１は、トランクの使用率を受信するたびに、トランクの使用率の平均値と所定の閾値を比較結果に応じて、支援エリアＺ２を拡張し、支援エリアＺ２の拡張を所定回数行った後、トランク割り当てを災害発生前の状態に戻す。
【０１２３】
図１５は、支援エリアＺ２の拡張処理の一例を示すシーケンス図である。本シーケンスは、災害発生後、つまり災害発生情報の取得後に開始される。
【０１２４】
まず、支援エリア決定部１００は、所定時間（例えば３時間）だけ待機する（符号Ｓｑ１１参照）。支援エリア決定部１００は、例えばタイマを用いて待機時間を計時する。なお、待機時間は、３時間に限定されず、トラフィックの輻輳の緩和の所要時間に応じて適宜に決定されればよく、例えば２４時間であってもよい。
【０１２５】
支援エリア決定部１００は、待機時間が経過すると、トラフィック状況監視部１０４にトランクの使用率を要求する。トラフィック状況監視部１０４は、要求に対する応答として、各中継ノードＡ〜Ｃから取得した各通信回線のトランクの使用率を支援エリア決定部１００に出力する。なお、取得されたトランクの使用率は、待機時間内の値である。
【０１２６】
次に、支援エリア決定部１００は、各通信回線のトランクの使用率の平均値を算出して、所定の閾値（本例では７０％）と比較する（符号Ｓｑ１２参照）。つまり、支援エリア決定部１００は、各中継ノードＡ〜Ｃにおいて、他の通信回線より多くのトランクが割り当てられた各通信回線のトランクの使用率の平均値を、所定の閾値と比較する。なお、閾値は、７０％に限定されず、例えば５０％であってもよい。
【０１２７】
支援エリア決定部１００は、トランクの使用率の平均値≧７０％の場合（「Ｎｏ」参照）、再び待機を行う（符号Ｓｑ１１参照）。また、支援エリア決定部１００は、トランクの使用率の平均値＜７０％の場合（「Ｙｅｓ」参照）、その判定結果を得た回数が３回目であるか否かを判定する（符号Ｓｑ１３参照）。
【０１２８】
支援エリア決定部１００は、判定結果を得た回数が１回目または２回目である場合（「Ｎｏ」参照）、支援エリアＺ２を決定する（符号Ｓｑ１４参照）。これにより、支援エリアＺ２は、１回目の場合、被災地Ｚ１から５０ｋｍ圏内にまで拡張され、２回目の場合、被災地Ｚ１から１００ｋｍ圏内にまで拡張される。
【０１２９】
このように、支援エリア決定部１００は、トランクの使用率が受信されるたびに、トランクの使用率の平均値と所定の閾値を比較する。したがって、トランクの使用率の平均値と上記の閾値の比較結果に応じて、支援エリアＺ２が段階的に拡張される。よって、通信の確保対象の地域も広がり、被災地Ｚ１への支援を時刻経過とともに強化することができる。
【０１３０】
次に、支援エリア決定部１００は、拡張後の支援エリアＺ２に従ってノードリスト１３１を生成し、優先トランク割当部１０１に出力する。優先トランク割当部１０１は、ノードリスト１３１に基づいて、トランク割当テーブル１３２を生成して、トランク割当設定部１０２に出力する。トランク割当設定部１０２は、トランク割当テーブル１３２に従って、該当する中継ノードＡ〜Ｃにトランク割当率の設定要求を送信する。
【０１３１】
中継ノードＡ〜Ｃは、トランク割当率の設定が完了すると、トランク割当設定部１０２に応答を返す。設定要求の応答は、トランク割当設定部１０２から優先トランク割当部１０１に出力され、さらに、優先トランク割当部１０１から支援エリア決定部１００に出力される。その後、再び待機処理（符号Ｓｑ１１）が行われる。
【０１３２】
また、支援エリア決定部１００は、トランクの使用率の平均値＜７０％の判定結果を得た回数が３回目である場合（「Ｙｅｓ」参照）、優先トランク割当部１０１にトランク割当テーブル１３２の復旧を要求する。優先トランク割当部１０１は、例えば、中継ノードＤＢ１５１から災害発生前のトランク割当テーブル１３２を取得して、トランク割当設定部１０２に出力する。トランク割当設定部１０２は、トランク割当テーブル１３２に従って、該当する中継ノードＡ〜Ｃにトランク割当率の設定要求を送信する。
【０１３３】
すなわち、優先トランク割当部１０１は、支援エリア決定部１００により支援エリアＺ２の拡張が２回行われた場合、トランクの使用率の平均値が７０％を下回ったとき、トランクの割り当てを災害情報１３０の取得前の状態に戻す。このため、被災地Ｚ１及び支援エリアＺ２以外のエリア内の通信端末は、災害発生から一定時間が経過した後、災害発生前と同様の通話が可能となる。
【０１３４】
中継ノードＡ〜Ｃは、トランク割当率の設定が完了すると、トランク割当設定部１０２に応答を返す。設定要求の応答は、トランク割当設定部１０２から優先トランク割当部１０１に出力され、さらに、優先トランク割当部１０１から支援エリア決定部１００に出力される。次に、支援エリア決定部１００は、通常トランク割当部１０３に動作の開始を指示する。通常トランク割当部１０３は、動作の開始指示を受けると、トランクの割り当て処理を開始して、支援エリア決定部１００に応答を返す。
【０１３５】
また、図１６は、支援エリアＺ２の拡張処理の一例を示すフローチャートである。本処理は、図１０のステップＳｔ９において実行される。
【０１３６】
まず、支援エリア決定部１００は、所定時間だけ待機する（ステップＳｔ２１）。待機時間は、上述したように、例えば３時間である。
【０１３７】
次に、支援エリア決定部１００は、トラフィック状況監視部１０４から各通信回線のトランクの使用率を取得する（ステップＳｔ２２）。次に、支援エリア決定部１００は、各通信回線のトランクの使用率の平均値を算出して、所定の閾値（本例では７０％）と比較する（ステップＳｔ２３）。
【０１３８】
支援エリア決定部１００は、トランクの使用率の平均値≧７０％の場合（ステップＳｔ２３のＮｏ）、再び待機処理を行う（ステップＳｔ２１）。また、支援エリア決定部１００は、トランクの使用率の平均値＜７０％の場合（ステップＳｔ２３のＹｅｓ）、その判定結果を得た回数が３回目であるか否かを判定する（ステップＳｔ２４）。
【０１３９】
支援エリア決定部１００は、トランクの使用率の平均値＜７０％の判定結果を得た回数が１回目または２回目である場合（ステップＳｔ２４のＮｏ）、支援エリアＺ２を拡張する（ステップＳｔ２５）。次に、支援エリア決定部１００は、加入者収容ノードＤＢ１５０に基づき、被災地Ｚ１及び拡張後の支援エリアＺ２内の加入者収容ノードａ１〜ｃ３を特定する（ステップＳｔ２６）。これにより、拡張後の支援エリアＺ２に基づくノードリスト１３１が生成される。
【０１４０】
次に、優先トランク割当部１０１は、トランク割り当て処理を行う（ステップＳｔ２７）。トランク割り当て処理については、図１４を参照して述べた通りである。その後、再び待機処理（ステップＳｔ２１）が行われる。
【０１４１】
図１７には、支援エリアＺ２の拡張例が示されている。図１７において、図１１と共通の構成については同一の符号を付し、その説明を省略する。
【０１４２】
本例において、支援エリアＺ２は、被災地Ｚ１の５０ｋｍ圏内にまで拡張されている。トラフィック制御装置１は、被災地Ｚ１及び拡張後の支援エリアＺ２’’内のエリアＺａ２〜Ｚｃ３をカバーエリアとする加入者収容ノードａ２〜ｃ３を優先対象として、トランク割り当てをやり直す。このため、加入者収容ノードａ２〜ｃ３間の通信回線Ｒ１４〜Ｒ１６には、他の通信回線より多くのトランクが割り当てられる。したがって、被災地Ｚ１内の通信端末ｘ２と拡張後の支援エリアＺ２’’内の通信端末ｘ６，ｘ７の間の通信が確保される。
【０１４３】
再び図１６を参照すると、トランクの使用率の平均値＜７０％の判定結果を得た回数が３回目である場合（ステップＳｔ２４のＹｅｓ）、優先トランク割当部１０１は、中継ノードＤＢ１５１から、災害発生前のトランク割当テーブル１３２を取得する（ステップＳｔ２８）。災害発生前のトランク割当テーブル１３２では、一例として、図４（ｂ）に示されるように、各通信ポート２４に均等にトランク割当率が設定されている。
【０１４４】
次に、トランク割当設定部１０２は、中継ノードＡ〜Ｃに災害発生前のトランク割当テーブル１３２を設定する（ステップＳｔ２９）。これにより、通信回線に対するトランクの割り当てが災害発生前の状態に戻る。このようにして、支援エリアＺ２の拡張処理は行われる。なお、本実施例では、支援エリアＺ２の拡張が２回実行された後、トランクの割り当てを災害発生前の状態に戻すが、例えば、トランクの割り当てを災害発生前の状態に戻す契機として、支援エリアＺ２の拡張回数に限定はない。
【０１４５】
これまで述べたように、本実施例に係るトラフィック制御装置１は、互いに異なるエリアＺａ１〜Ｚｃ３内の１以上の通信端末ｘ１〜ｘ３と回線接続された複数の加入者収容ノードａ１〜ｃ３間の通信を中継する１以上の中継ノードＡ〜Ｃを制御する。トラフィック制御装置１は、通信ポート１４と、支援エリア決定部１００と、優先トランク割当部１０１とを有する。
【０１４６】
通信ポート１４は、災害に関する災害情報１３０を取得する。支援エリア決定部１００は、通信ポート１４が取得した災害情報１３０から被災地Ｚ１の支援エリアＺ２を決定する。支援エリア決定部１００は、複数の加入者収容ノードａ１〜ｃ３の各々のカバーエリアを示す「カバーエリア」情報に基づき、被災地Ｚ１及び支援エリアＺ２内の通信端末ｘ１〜ｘ３と回線接続された中継ノードＡ〜Ｃを特定する。
【０１４７】
優先トランク割当部１０１は、支援エリア決定部１００により特定された加入者収容ノードａ１〜ｃ３と接続された中継ノードＡ〜Ｃの通信回線のうち、特定された加入者収容ノードａ１〜ｃ３との間の通信回線に、通信端末ｘ１〜ｘ３の各々の通信データを収容するトランクを、他の通信回線より多く割り当てる。
【０１４８】
上記の構成によると、優先トランク割当部１０１は、被災地Ｚ１及び支援エリアＺ２の少なくとも一部をカバーエリアとする加入者収容ノードａ１〜ｃ３と中継ノードＡ〜Ｃの間の通信回線に、他の通信回線より多くのトランクを割り当てる。このため、トラフィックが輻輳しても、被災地Ｚ１とその支援エリアＺ２の間の通信を確保することができる。
【０１４９】
また、実施例に係る通信システムは、複数の加入者収容ノードａ１〜ｃ３と、１以上の中継ノードＡ〜Ｃと、トラフィック制御装置１とを有する。複数の加入者収容ノードａ１〜ｃ３は、互いに異なるエリアＺａ１〜Ｚｃ３内の１以上の通信端末ｘ１〜ｘ３と回線接続されている。１以上の中継ノードＡ〜Ｃは、複数の加入者収容ノードａ１〜ｃ３間の通信を中継する。トラフィック制御装置１は、１以上の中継ノードＡ〜Ｃを制御する。
【０１５０】
複数の加入者収容ノードａ１〜ｃ３及び１以上の中継ノードＡ〜Ｃは、１以上の通信端末ｘ１〜ｘ３の各々の通信データを、複数の加入者収容ノードａ１〜ｃ３及び１以上の中継ノードＡ〜Ｃの間の通信回線に割り当てられたトランクに収容して送受信する。
【０１５１】
トラフィック制御装置１は、災害に関する災害情報１３０を取得し、取得した災害情報１３０から被災地Ｚ１の支援エリアＺ２を決定する。トラフィック制御装置１は、複数の加入者収容ノードａ１〜ｃ３の各々のカバーエリアを示す「カバーエリア」情報に基づき、被災地Ｚ１及び支援エリアＺ２内の通信端末ｘ１〜ｘ３と回線接続された中継ノードＡ〜Ｃを特定する。
【０１５２】
また、トラフィック制御装置１は、特定した加入者収容ノードａ１〜ｃ３と接続された中継ノードＡ〜Ｃの通信回線のうち、特定した加入者収容ノードａ１〜ｃ３との間の通信回線に、トランクを他の通信回線より多く割り当てる。
【０１５３】
実施例に係る通信システムは、上記のトラフィック制御装置１と同様の構成を含むので、上述した内容と同様の作用効果を奏する。
【０１５４】
また、実施例に係る通信制御方法は、互いに異なるエリア内の１以上の通信端末ｘ１〜ｘ３と回線接続された複数の加入者収容ノードａ１〜ｃ３間の通信を中継する１以上の中継ノードＡ〜Ｃを制御する方法であり、以下のステップを含む。
【０１５５】
ステップ（１）：災害に関する災害情報１３０を取得する。
ステップ（２）：取得した災害情報１３０から被災地Ｚ１の支援エリアＺ２を決定する。
ステップ（３）：複数の加入者収容ノードａ１〜ｃ３の各々のカバーエリアを示す「カバーエリア」情報に基づき、被災地Ｚ１及び支援エリアＺ２内の通信端末ｘ１〜ｘ３と回線接続された中継ノードＡ〜Ｃを特定する。
ステップ（４）：特定した加入者収容ノードａ１〜ｃ３と接続された中継ノードＡ〜Ｃの通信回線のうち、特定した加入者収容ノードａ１〜ｃ３との間の通信回線に、トランクを他の通信回線より多く割り当てる。
【０１５６】
実施例に係る通信制御方法は、上記のトラフィック制御装置１と同様の構成を含むので、上述した内容と同様の作用効果を奏する。
【０１５７】
上述した実施形態は本発明の好適な実施の例である。但し、これに限定されるものではなく、本発明の要旨を逸脱しない範囲内において種々変形実施可能である。
【０１５８】
なお、以上の説明に関して更に以下の付記を開示する。
（付記１）  互いに異なるエリア内の１以上の通信端末と回線接続された複数の通信装置間の通信を中継する１以上の中継装置を制御する通信制御装置において、
災害に関する災害情報を取得する取得部と、
前記取得部が取得した前記災害情報から被災地の支援エリアを決定し、前記複数の通信装置の各々の前記エリアを示すエリア情報に基づき、前記複数の通信装置のうち、前記被災地及び前記支援エリア内の前記１以上の通信端末と回線接続された通信装置を特定する特定部と、
前記特定部により特定された通信装置と接続された前記１以上の中継装置の通信回線のうち、前記特定された通信装置との間の通信回線に、前記１以上の通信端末の各々の通信データを収容するチャネルを、他の通信回線より多く割り当てる割り当て部とを有することを特徴とする通信制御装置。
（付記２）  前記割り当て部は、さらに、前記特定された通信装置と接続された前記１以上の中継装置同士を結ぶ通信回線に、前記チャネルを他の通信回線より多く割り当てることを特徴とする付記１に記載の通信制御装置。
（付記３）  前記割り当て部は、前記他の通信回線に割り当てられた前記チャネルを減少させ、該減少分のチャネルを残りの通信回線に分配することを特徴とする付記１または２に記載の通信制御装置。
（付記４）  前記特定部は、前記被災地から所定の距離内の地域を前記支援エリアとして決定することを特徴とする付記１乃至３の何れかに記載の通信制御装置。
（付記５）  前記取得部は、前記災害情報として、災害を予報する予報情報と、災害の発生を通知する災害発生情報とを取得し、
前記割り当て部は、前記予報情報が取得されたときに特定された通信装置と前記災害発生情報が取得されたときに特定された通信装置の差分を補正するように、前記チャネルの割り当てを修正することを特徴とする付記１乃至４の何れかに記載の通信制御装置。
（付記６）  前記１以上の中継装置の各々から通信回線ごとの前記チャネルの使用率を受信する受信部を、さらに有し、
前記特定部は、前記受信部により受信した各通信回線の前記チャネルの使用率の平均値と所定の閾値を比較した結果、前記平均値が前記所定の閾値を下回った場合、前記支援エリアを拡張して、前記複数の通信装置のうち、拡張された前記支援エリア内の前記１以上の通信端末と回線接続された通信装置を再特定し、
前記割り当て部は、前記特定部により再特定された通信装置と接続された前記１以上の中継装置の通信回線のうち、前記再特定された通信装置との間の通信回線に、前記チャネルを他の通信回線より多く割り当てることを特徴とする付記１乃至５の何れかに記載の通信制御装置。
（付記７）  前記受信部は、所定の時間間隔で前記チャネルの使用率を受信し、
前記特定部は、前記チャネルの使用率が受信されるたびに、前記チャネルの使用率の前記平均値と前記所定の閾値を比較することを特徴とする付記６に記載の通信制御装置。
（付記８）  前記割り当て部は、前記特定部により前記支援エリアの拡張が所定回数行われた場合、前記平均値が所定の閾値を下回ったとき、前記チャネルの割り当てを前記災害情報の取得前の状態に戻すことを特徴とする付記７に記載の通信制御装置。
（付記９）  互いに異なるエリア内の１以上の通信端末と回線接続された複数の通信装置と、前記複数の通信装置間の通信を中継する１以上の中継装置と、前記１以上の中継装置を制御する通信制御装置とを有する通信システムにおいて、
前記複数の通信装置及び前記１以上の中継装置は、前記１以上の通信端末の各々の通信データを、前記複数の通信装置及び前記１以上の中継装置の間の通信回線に割り当てられたチャネルに収容して送受信し、
前記通信制御装置は、
災害に関する災害情報を取得し、
取得した前記災害情報から被災地の支援エリアを決定し、
前記複数の通信装置の各々の前記エリアを示すエリア情報に基づき、前記複数の通信装置のうち、前記被災地及び前記支援エリア内の前記１以上の通信端末と回線接続された通信装置を特定し、
特定した通信装置と接続された前記１以上の中継装置の通信回線のうち、前記特定した通信装置との間の通信回線に、前記チャネルを他の通信回線より多く割り当てることを特徴とする通信システム。
（付記１０）  前記通信制御装置は、さらに、前記特定された通信装置と接続された前記１以上の中継装置同士を結ぶ通信回線に、前記チャネルを他の通信回線より多く割り当てることを特徴とする付記９に記載の通信システム。
（付記１１）  前記通信制御装置は、前記他の通信回線に割り当てられた前記チャネルを減少させ、該減少分のチャネルを残りの通信回線に分配することを特徴とする付記９または１０に記載の通信システム。
（付記１２）  前記通信制御装置は、前記被災地から所定の距離内の地域を前記支援エリアとして決定することを特徴とする付記９乃至１１の何れかに記載の通信システム。
（付記１３）  前記通信制御装置は、
前記災害情報として、災害を予報する予報情報と、災害の発生を通知する災害発生情報とを取得し、
前記予報情報が取得されたときに特定された通信装置と前記災害発生情報が取得されたときに特定された通信装置の差分を補正するように、前記チャネルの割り当てを修正することを特徴とする付記９乃至１２の何れかに記載の通信システム。
（付記１４）  前記通信制御装置は、
前記１以上の中継装置の各々から通信回線ごとの前記チャネルの使用率を受信し、
受信した各通信回線の前記チャネルの使用率の平均値と所定の閾値を比較した結果、前記平均値が前記所定の閾値を下回った場合、前記支援エリアを拡張して、
前記複数の通信装置のうち、拡張された前記支援エリア内の前記１以上の通信端末と回線接続された通信装置を再特定し、
再特定した通信装置と接続された前記１以上の中継装置の通信回線のうち、前記再特定された通信装置との間の通信回線に、前記チャネルを他の通信回線より多く割り当てることを特徴とする付記９乃至１３の何れかに記載の通信システム。
（付記１５）  前記通信制御装置は、
所定の時間間隔で前記チャネルの使用率を受信し、
前記チャネルの使用率が受信されるたびに、前記チャネルの使用率の前記平均値と前記所定の閾値を比較することを特徴とする付記１４に記載の通信システム。
（付記１６）  前記通信制御装置は、前記支援エリアの拡張を所定回数行った場合、前記平均値が所定の閾値を下回ったとき、前記チャネルの割り当てを前記災害情報の取得前の状態に戻すことを特徴とする付記１５に記載の通信システム。
（付記１７）  互いに異なるエリア内の１以上の通信端末と回線接続された複数の通信装置間の通信を中継する１以上の中継装置を制御する通信制御方法において、
災害に関する災害情報を取得し、
取得した前記災害情報から被災地の支援エリアを決定し、
前記複数の通信装置の各々の前記エリアを示すエリア情報に基づき、前記複数の通信装置のうち、前記被災地及び前記支援エリア内の前記１以上の通信端末と回線接続された通信装置を特定し、
特定した通信装置と接続された前記１以上の中継装置の通信回線のうち、前記特定した通信装置との間の通信回線に、前記１以上の通信端末の各々の通信データを収容するチャネルを他の通信回線より多く割り当てることを特徴とする通信制御方法。
（付記１８）  さらに、前記特定された通信装置と接続された前記１以上の中継装置同士を結ぶ通信回線に、前記チャネルを他の通信回線より多く割り当てることを特徴とする付記１７に記載の通信制御方法。
（付記１９）  前記他の通信回線に割り当てられた前記チャネルを減少させ、該減少分のチャネルを残りの通信回線に分配することを特徴とする付記１７または１８に記載の通信制御方法。
（付記２０）  前記被災地から所定の距離内の地域を前記支援エリアとして決定することを特徴とする付記１７乃至１９の何れかに記載の通信制御方法。
（付記２１）  前記災害情報として、災害を予報する予報情報と、災害の発生を通知する災害発生情報とを取得し、
前記予報情報が取得されたときに特定された通信装置と前記災害発生情報が取得されたときに特定された通信装置の差分を補正するように、前記チャネルの割り当てを修正することを特徴とする付記１７乃至２０の何れかに記載の通信制御方法。
（付記２２）  前記１以上の中継装置の各々から通信回線ごとの前記チャネルの使用率を受信し、
受信した各通信回線の前記チャネルの使用率の平均値と所定の閾値を比較した結果、前記平均値が前記所定の閾値を下回った場合、前記支援エリアを拡張して、
前記複数の通信装置のうち、拡張された前記支援エリア内の前記１以上の通信端末と回線接続された通信装置を再特定し、
再特定した通信装置と接続された前記１以上の中継装置の通信回線のうち、前記再特定された通信装置との間の通信回線に、前記チャネルを他の通信回線より多く割り当てることを特徴とする付記１７乃至２１の何れかに記載の通信制御方法。
（付記２３）  所定の時間間隔で前記チャネルの使用率を受信し、
前記チャネルの使用率が受信されるたびに、前記チャネルの使用率の前記平均値と前記所定の閾値を比較することを特徴とする付記２２に記載の通信制御方法。
（付記２４）  前記支援エリアの拡張を所定回数行った場合、前記平均値が所定の閾値を下回ったとき、前記チャネルの割り当てを前記災害情報の取得前の状態に戻すことを特徴とする付記２３に記載の通信制御方法。
【符号の説明】
【０１５９】
１      トラフィック制御装置
１４      通信ポート
１００     支援エリア決定部
１０１     優先トランク割当部
１０４     トラフィック状況監視部
１３０     災害情報
Ａ〜Ｃ     中継ノード
ａ１〜ｃ３     加入者収容ノード
ｘ１〜ｘ７     通信端末
Ｚ１      被災地
Ｚ２，Ｚ２’，Ｚ２’’    支援エリア
【図１】
2016154310.tif 000003
【図２】
2016154310.tif 000004
【図３】
2016154310.tif 000005
【図４】
2016154310.tif 000006
【図５】
2016154310.tif 000007
【図６】
2016154310.tif 000008
【図７】
2016154310.tif 000009
【図８】
2016154310.tif 000010
【図９】
2016154310.tif 000011
【図１０】
2016154310.tif 000012
【図１１】
2016154310.tif 000013
【図１２】
2016154310.tif 000014
【図１３】
2016154310.tif 000015
【図１４】
2016154310.tif 000016
【図１５】
2016154310.tif 000017
【図１６】
2016154310.tif 000018
【図１７】
2016154310.tif 000019